(57)【要約】      （修正有）【課題】未使用時には真空パック又は完全密封した包装容器となり、使用時にはコーヒーカップ等の上にセットして使用するコーヒードリッパー用容器になる容器の開発。【解決手段】防水耐熱性に優れ且つ真空パック又は完全密封に適した素材でできた外袋１の中に、コーヒーのドリップに適した通水性に優れた内袋１５を入れ、更に、その内袋15の中にコーヒー粉26を入れたうえで、外袋1の横辺3,4の上部に設けた凸部5,6を内側に折り、内袋15の横辺16,17の上部に設けた凸部18,19を被包し固着させ、外袋1の開口部を真空パック又は完全密封して閉じる用にした容器。使用時には外袋1の両側面に設けた引き手兼支持脚27,28を利用し内袋15も同時に開封可能とし更に前記支持脚27,28を利用してコーヒーカップ等の上に前記容器を自立可能とした。また内袋15に設けた切取線20,21で外袋1と内袋15とを分離して捨てられるようした。【選択図】図１
2006122626.tif 000002
【特許請求の範囲】
【請求項１】
袋状本体が、未使用時は真空パック、又は、完全密封することにより、衛生的で長期保存ができる包装素材となり、開封して使用する時は、ドリップ容器の役目も果たす簡易コーヒードリッパーである。
【請求項２】
袋状本体が外袋と内袋からなる二重構造で、外袋の開口部の一部、又は、全部を内袋の上から被包して固着させてから、真空パック、又は、完全密封するため閉じ込むことにより、外袋と一緒に内袋も開封でき、かつ、内袋の脱落を防止し、更に、開封時に通水性に富む内袋が破れないようにする機能を持った請求項１の簡易コーヒードリッパー。
【請求項３】
内袋の開口部下位に切取線を設けることにより、使用後に内袋を外袋から離隔させ、それぞれを分別して捨てることができる請求項１の簡易コーヒードリッパー。
【請求項４】
開封するための引き手とコーヒーカップ等にセットするための支持脚を一体にした請求項１の簡易コーヒードリッパー。
【発明の詳細な説明】
【発明の詳細な説明】
【技術分野】
【０００１】この発明は、真空パック、又は、完全密封に適し、かつ、中に熱湯を注ぐことが可能な防水耐熱性に優れた素材でできた外袋の中に、コーヒーのドリップに適した通水性に優れた濾過フィルターの機能を有する内袋を入れ、更に、その内袋の中に挽いたコーヒー豆を入れたうえで、真空パック、又は、完全密封することにより長期間保存が可能で、又、使用時には、外袋の両側面に設けた引き手兼支持脚を利用し開封すると、外袋と一緒に内袋も開封でき、コーヒーカップ等の上に容易にセットでき、開口部から熱湯を注ぐことによりコーヒーをドリップすることができ、更には、使用後に外袋と内袋を分離し捨てることも可能な簡易コーヒードリッパーである。
【背景技術】
【０００２】従来は、包装紙とドリッパー本体が別々のもので、又、真空パックのものはなかった。
【発明が解決しようとする課題】
【０００３】従来は、包装紙の中にドリッパー本体が入っていたため、包装紙を破ってドリッパーを取り出さないといけなかった。又、真空パックのものはなく、長期保存に適さなかった。
【課題を解決するための手段】
【０００４】（イ）外袋（１）は、真空パック、又は、完全密封に適し、中に熱湯を注ぐことができる防水耐熱性に優れた素材を使用し、漏斗のような形状をし、コーヒーカップ等の上にセットしコーヒーカップ等１杯分のコーヒーを抽出するのに適した大きさとする。（ロ）外袋（１）の上部は四辺からなる角筒状で、下部は逆ピラミッド形状とし、その最下部先端は未使用時は閉じ、使用時に開放できるように適宜高さのところに切取線（２）を設ける。（ハ）外袋（１）の横辺（折り畳まない辺を言う）（３）（４）の上部には、それぞれ適宜高さの凸部（５）（６）を設ける。（ニ）内袋（１５）は、コーヒーをドリップすることができる通水性の濾過フィルター用素材とし、外袋（１）の上部の角筒状の所に適度に収まる大きさの上部が開放された略立方体形状とする。（ホ）内袋（１５）の横辺（折り畳まない辺を言う）（１６）（１７）の上部に、外袋（１）の凸部（５）（６）と同じ高さと長さの凸部（１８）（１９）を設け、この凸部の底辺部分の横にそれぞれ切取線（２０）（２１）を設ける。（ヘ）外袋（１）の凸部（５）（６）の底辺部に内袋（１５）の凸部（１８）（１９）の上端縁部（２２）（２３）を合わせるように内袋（１５）を外袋（１）の上部内側に収め、外袋（１）の凸部（５）（６）を内側に折り曲げ内袋の凸部（１８）（１９）を被包し、内袋（１５）が脱落しないで開封時に外袋（１）と一緒に内袋（１５）も開封できるように、外袋（１）の凸部（５）（６）と内袋（１５）の凸部（１８）（１９）をそれぞれ接着させる。（ト）内袋（１５）の中に適量の挽いたコーヒー豆（２６）を充填し、外袋（１）の縦辺（折り畳む辺）（７）（８）と内袋（１５）の縦辺（折り畳む辺）（２４）（２５）を一緒に内側に折り畳んで閉じ、外袋（１）及び内袋（１５）の内部が真空パック、又は、完全密封されるように外袋（１）の開口部（９）（１０）（１１）（１２）（１３）（１４）（１１’）（１２’）（１３’）（１４’）をそれぞれ固着させる。（チ）外袋（１）の横辺（３）（４）の両外側側面の中心部に垂直に、かつ、外袋（１）の角筒状の上部内の範囲に引き手兼支持脚（２７）（２８）のそれぞれの中心部を外袋（１）の開口部（９）（１０）（１１）（１２）（１３）（１４）（１１’）（１２’）（１３’）（１４’）を開封する時に剥がれない強度で固着させる。（リ）引き手兼支持脚（２７）（２８）は、外袋（１）を開封しやすく、かつ、外袋（１）を開封しコーヒーカップ等の上に乗せた時に、外袋（１）を適度な高さに固定でき、更に、外袋（１）が閉じ込まないようにコーヒーカップ等の縁に４ヶ所で引っ掛けられるような形状とする。（ヌ）引き手兼支持脚（２７）（２８）は、未使用時は平面にし、外袋（１）に固着されているそれぞれの中心部の両側に谷折り線（２９）（２９’）（３０）（３０’）を設け、外袋（１）の開封及びコーヒーカップ等へのセットをしやすくする。（ル）こうして成形された外袋（１）を、使用時には、引き手兼支持脚（２７）（２８）をそれぞれ谷折り線（２９）（２９’）（３０）（３０’）で折り、外側に引っ張り開封し、切取線（２）で最下端部を切取り、引き手兼支持脚（２７）（２８）を利用してコーヒーカップ等の上にセットし、外袋（１）の開口部から熱湯を注ぎコーヒーをドリップする。（ヲ）使用後は、内袋（１５）の縦辺（２４）（２５）を指で摘んで切取線（２０）（２１）から切取り外袋（１）と分離させ、それぞれを分別して廃棄する。
【発明を実施するための最良の形態】
【０００５】以下、本発明の実施の形態について説明する。（イ）外袋（１）は、真空パック、又は、完全密封に適し、中に熱湯を注ぐことができる防水耐熱性に優れた素材を使用し、漏斗のような形状をし、コーヒーカップ等の上にセットしコーヒーカップ等１杯分のコーヒーを抽出するのに適した大きさとする。（ロ）外袋（１）の上部は四辺からなる角筒状で、下部は逆ピラミッド形状とし、その最下部先端は未使用時は閉じ、使用時に開放できるように適宜高さのところに切取線（２）を設ける。（ハ）外袋（１）の横辺（折り畳まない辺を言う）（３）（４）の上部には、それぞれ適宜高さの凸部（５）（６）を設ける。（ニ）内袋（１５）は、コーヒーをドリップすることができる通水性の濾過フィルター用素材とし、外袋（１）の上部の角筒状の所に適度に収まる大きさの上部が開放された略立方体形状とする。（ホ）内袋（１５）の横辺（折り畳まない辺を言う）（１６）（１７）の上部に、外袋（１）の凸部（５）（６）と同じ高さと長さの凸部（１８）（１９）を設け、この凸部の底辺部分の横にそれぞれ切取線（２０）（２１）を設ける。（ヘ）外袋（１）の凸部（５）（６）の底辺部に内袋（１５）の凸部（１８）（１９）の上端縁部（２２）（２３）を合わせるように内袋（１５）を外袋（１）の上部内側に収め、外袋（１）の凸部（５）（６）を内側に折り曲げ内袋の凸部（１８）（１９）を被包し、内袋（１５）が脱落しないで開封時に外袋（１）と一緒に内袋（１５）も開封できるように、外袋（１）の凸部（５）（６）と内袋（１５）の凸部（１８）（１９）をそれぞれ接着させる。（ト）内袋（１５）の中に適量の挽いたコーヒー豆（２６）を充填し、外袋（１）の縦辺（折り畳む辺）（７）（８）と内袋（１５）の縦辺（折り畳む辺）（２４）（２５）を一緒に内側に折り畳んで閉じ、外袋（１）及び内袋（１５）の内部が真空パック、又は、完全密封されるように外袋（１）の開口部（９）（１０）（１１）（１２）（１３）（１４）（１１’）（１２’）（１３’）（１４’）をそれぞれ固着させる。（チ）外袋（１）の横辺（３）（４）の両外側側面の中心部に垂直に、かつ、外袋（１）の角筒状の上部内の範囲に引き手兼支持脚（２７）（２８）のそれぞれの中心部を外袋（１）の開口部（９）（１０）（１１）（１２）（１３）（１４）（１１’）（１２’）（１３’）（１４’）を開封する時に剥がれない強度で固着させる。（リ）引き手兼支持脚（２７）（２８）は、外袋（１）を開封しやすく、かつ、外袋（１）を開封しコーヒーカップ等の上に乗せた時に、外袋（１）を適度な高さに固定でき、更に、外袋（１）が閉じ込まないようにコーヒーカップ等の縁に４ヶ所で引っ掛けられるような形状とする。（ヌ）引き手兼支持脚（２７）（２８）は、未使用時は平面にし、外袋（１）に固着されているそれぞれの中心部の両側に谷折り線（２９）（２９’）（３０）（３０’）を設け、外袋（１）の開封及びコーヒーカップ等へのセットをしやすくする。（ル）こうして成形された外袋（１）を、使用時には、引き手兼支持脚（２７）（２８）をそれぞれ谷折り線（２９）（２９’）（３０）（３０’）で折り、外側に引っ張り開封し、切取線（２）で最下端部を切取り、引き手兼支持脚（２７）（２８）を利用してコーヒーカップ等の上にセットし、外袋（１）の開口部から熱湯を注ぎコーヒーをドリップする。（ヲ）使用後は、内袋（１５）の縦辺（２４）（２５）を指で摘んで切取線（２０）（２１）から切取り外袋（１）と分離させ、それぞれを分別して廃棄する。
【発明の効果】
【０００６】本発明により、未使用時には真空パック、又は、完全密封して長期保存することができ、使用時には外袋の両側面に設けた引き手兼支持脚を利用し開封すると、外袋と一緒に内袋も開封され、コーヒーカップ等の上にセットし、内包した通水性に優れた濾過フィルターの機能を有する内袋と、その内袋の中に充填した挽いたコーヒー豆の上から熱湯を注ぐことにより、簡易にコーヒーを淹れることができ、かつ、使用後には素材の異なる外袋と内袋を分別廃棄することができるコーヒードリッパーを提供することができる。
【図面の簡単な説明】
【図１】外袋（１）と内袋（１５）と挽いたコーヒー豆（２６）と引き手兼支持脚（２７）（２８）のセット方法を示した斜視図である。
【図２】外袋（１）に内袋（１５）をセットし、内袋（１５）に挽いたコーヒー豆（２６）を充填し、更に、引き手兼支持脚（２７）（２８）を固着させた時の斜視図である。
【図３】外袋（１）の開口部（９）（１０）（１１）（１２）（１３）（１４）（１１’）（１２’）（１３’）（１４’）を閉じ込み固着させた時の斜視図である。
【図４】外袋（１）を開封する時の斜視図である。
【図５】外袋（１）をコーヒーカップ等にセットした時の斜視図である。
【図６】使用後に内袋（１５）を外袋（１）から切り離す時の斜視図である。
【符号の説明】
１    外袋  ２    切取線  ３    横辺  ４    横辺  ５    凸部  ６    凸部  ７    縦辺  ８    縦辺  ９    開口部１０    開口部１１    開口部１２    開口部１３    開口部１４    開口部１１’  開口部１２’  開口部１３’  開口部１４’  開口部１５    内袋１６    横辺１７    横辺１８    凸部１９    凸部２０    切取線２１    切取線２２    上端縁部２３    上端縁部２４    縦辺２５    縦辺２６    挽いたコーヒー豆２７    引き手兼支持脚２８    引き手兼支持脚２９    谷折り線２９’  谷折り線３０    谷折り線３０’  谷折り線
【図１】
2006122626.tif 000003
【図２】
2006122626.tif 000004
【図３】
2006122626.tif 000005
【図４】
2006122626.tif 000006
【図５】
2006122626.tif 000007
【図６】
2006122626.tif 000008